(57)【要約】【課題】製造コストが高価となることを防止することができると共に、その運搬作業を著しく軽減することができる造り付け家具を提供する。【解決手段】既設された部屋３２内に後から造り付けられることにより内部空間を形成する造り付け家具３０であって、造り付け家具３０が有する第１板部材３４の周部に形成された差し込み部３４ｃが、部屋３２の天井４６及び壁５０の少なくとも一方に形成された貫通孔に差し込まれた状態で造り付けられるようにした。【効果】製造コストが高価となることを防止することができると共に、その運搬作業を著しく軽減することができる。【選択図】図１
2008274690.tif 000002
【特許請求の範囲】
【請求項１】
既設された部屋内に後から造り付けられることにより内部空間を形成する造り付け家具であって、
前記造り付け家具が有する第１板部材の周部に形成された差し込み部が、前記部屋の天井及び壁の少なくとも一方に形成された貫通孔に差し込まれた状態で造り付けられた
ことを特徴とする造り付け家具。
【請求項２】
前記差し込み部が、前記部屋の天井及び壁の両方に形成された貫通孔に差し込まれた状態で造り付けられた
ことを特徴とする請求項１に記載の造り付け家具。
【請求項３】
前記第１板部材が鉛直方向に沿って配置された
ことを特徴とする請求項１に記載の造り付け家具。
【請求項４】
前記第１板部材が開き戸を有することを特徴とする請求項１に記載の造り付け家具。
【請求項５】
前記第１板部材が、引出しが出入りする開口部を有することを特徴とする請求項１に記載の造り付け家具。
【請求項６】
前記第１板部材の周部に回動自在に取付けられた第２板部材を有することを特徴とする請求項１又は５に記載の造り付け家具。
【請求項７】
前記第２板部材が前記第１板部材の周部に、上下方向に伸びる軸線の周りに回動自在に取付けられたことを特徴とする請求項６に記載の造り付け家具。
【請求項８】
前記第２板部材は、前記引出しの出入りをガイドするレールを有することを特徴とする請求項６に記載の造り付け家具。
【請求項９】
前記内部空間は、前記第１板部材、前記第２板部材、前記部屋の天井、壁及び床により囲まれて形成された
ことを特徴とする請求項６に記載の造り付け家具。
【請求項１０】
前記内部空間は、前記第１板部材、前記第２板部材、前記部屋の天井、壁及び高床構造の上面により囲まれて形成された
ことを特徴とする請求項６に記載の造り付け家具。
【請求項１１】
前記内部空間は、前記第１板部材、前記第２板部材、前記部屋の壁及び天井により囲まれて形成された
ことを特徴とする請求項６に記載の造り付け家具。
【請求項１２】
前記内部空間は、前記第１板部材、前記第２板部材、前記部屋の壁及び床により囲まれて形成された
ことを特徴とする請求項６に記載の造り付け家具。
【発明の詳細な説明】
【技術分野】
【０００１】
本発明は、部屋の壁や天井或は床等を利用してそれらに直接取付けられる造り付け家具に関するものである。
【背景技術】
【０００２】
従来においては、例えば図２１に示すタンス２のように、それだけで完成品としてでき上がっており、部屋４内に搬入、設置される家具があった。この従来のタンス２は、前面板６、右側面板８、左側面板１０、上面板１２、及び底面板１４、並びに前面板６と対向して、図２１中における紙面に垂直方向の奥側に配置される不図示の背面板とを備えて構成されていることにより、全体として直方体の形状に形成されている。このようなタンス２は、その内部に、直方体のタンス２の６面を構成する各板部材に囲まれた内部空間を有している。
【０００３】
また、この従来のタンス２の前面板６は、略長方形の開口部１６を有する枠板部材１８と、この枠板部材１８の開口部１６を閉止したり、観音開きに開いたりするように動作する２枚の開き戸２０を備えている。これにより、従来のタンス２は、その内部空間に収納した物を、開き戸２０を開けて出し入れすることができるようになっている。
【発明の開示】
【発明が解決しようとする課題】
【０００４】
しかしながら、上記従来のタンス２においては、その内部空間を形成するために、この内部空間を囲む、前面板６、右側面板８、左側面板１０、上面板１２、底面板１４、及び不図示の背面板の、計６枚の板部材を備える必要があるので、その分だけ材料費が必要となって製造コストが高価となるという問題があった。このような問題は、上記従来のタンス２が市販品であっても、或はその部屋を有する建物専用に作られた特注品であっても同様である。
【０００５】
また、上記従来のタンス２は、部屋４内に搬入するまでの運搬作業が大変であるという問題があった。例えば、タンス２が、図２１に示すように、部屋４の天井２２の高さ近くにまで迫る高さを有している場合には、このような大型のタンス２を部屋４内の所望の位置まで運搬する作業は、複数の作業者を必要とする等、かなり大変な作業となってしまうという問題があった。
【０００６】
そこで本発明は、上記問題点に鑑みて、製造コストが高価となることを防止することができると共に、その運搬作業を著しく軽減することができる造り付け家具を提供することを課題とするものである。
【課題を解決するための手段】
【０００７】
上記課題を解決するために本発明は、
既設された部屋内に後から造り付けられることにより内部空間を形成する造り付け家具であって、
前記造り付け家具が有する第１板部材の周部に形成された差し込み部が、前記部屋の天井及び壁の少なくとも一方に形成された貫通孔に差し込まれた状態で造り付けられたことを特徴とするものである。
【０００８】
また、本発明による造り付け家具は、前記差し込み部が、前記部屋の天井及び壁の両方に形成された貫通孔に差し込まれた状態で造り付けられたことを特徴とするものである。
【０００９】
また、本発明による造り付け家具は、前記第１板部材が鉛直方向に沿って配置されたことを特徴とするものである。
【００１０】
また、本発明による造り付け家具は、前記第１板部材が開き戸を有することを特徴とするものである。
【００１１】
また、本発明による造り付け家具は、前記第１板部材が、引出しが出入りする開口部を有することを特徴とするものである。
【００１２】
また、本発明による造り付け家具は、前記第１板部材の周部に回動自在に取付けられた第２板部材を有することを特徴とするものである。
【００１３】
また、本発明による造り付け家具は、前記第２板部材が前記第１板部材の周部に、上下方向に伸びる軸線の周りに回動自在に取付けられたことを特徴とするものである。
【００１４】
また、本発明による造り付け家具は、前記第２板部材が、前記引出しの出入りをガイドするレールを有することを特徴とするものである。
【００１５】
また、本発明による造り付け家具は、前記内部空間が、前記第１板部材、前記第２板部材、前記部屋の天井、壁及び床により囲まれて形成されたことを特徴とするものである。
【００１６】
また、本発明による造り付け家具は、前記内部空間が、前記第１板部材、前記第２板部材、前記部屋の天井、壁及び高床構造の上面により囲まれて形成されたことを特徴とするものである。
【００１７】
また、本発明による造り付け家具は、前記内部空間が、前記第１板部材、前記第２板部材、前記部屋の壁及び天井により囲まれて形成されたことを特徴とするものである。
【００１８】
また、本発明による造り付け家具は、前記内部空間が、前記第１板部材、前記第２板部材、前記部屋の壁及び床により囲まれて形成されたことを特徴とするものである。
【発明の効果】
【００１９】
このような本発明に係る造り付け家具によれば、
既設された部屋内に後から造り付けられることにより内部空間を形成する造り付け家具であって、
前記造り付け家具が有する第１板部材の周部に形成された差し込み部が、前記部屋の天井及び壁の少なくとも一方に形成された貫通孔に差し込まれた状態で造り付けられたことにより、
製造コストが高価となることを防止することができると共に、運搬作業を著しく軽減することができる。
【００２０】
また、本発明の造り付け家具は、前記差し込み部が、前記部屋の天井及び壁の両方に形成された貫通孔に差し込まれた状態で造り付けられたことにより、
前記造り付け家具の効果と同様の効果を有する他に、造り付け家具の造り付け安定性を向上させることができる。
【００２１】
また、本発明の造り付け家具は、前記第１板部材が鉛直方向に沿って配置されたことにより、
前記造り付け家具の効果と同様の効果を有する他に、造り付け家具の造り付け施工性を向上させることができる。
【００２２】
また、本発明による造り付け家具は、前記第１板部材が開き戸を有することにより、
前記造り付け家具の効果と同様の効果を有する他に、造り付け家具の別の構成を提供することができる。
【００２３】
また、本発明による造り付け家具は、前記第１板部材が、引出しが出入りする開口部を有することにより、
前記造り付け家具の効果と同様の効果を有する他に、造り付け家具の別の構成を提供することができる。
【００２４】
また、本発明の造り付け家具は、前記第１板部材の周部に回動自在に取付けられた第２板部材を有することにより、
前記造り付け家具の効果と同様の効果を有する他に、造り付け家具を確実に構成することができる。
【００２５】
また、本発明の造り付け家具は、前記第２板部材が前記第１板部材の周部に、上下方向に伸びる軸線の周りに回動自在に取付けられたことにより、
前記造り付け家具の効果と同様の効果を有する他に、造り付け家具の構成の一つを明確にすることができる。
【００２６】
また、本発明による造り付け家具は、前記第２板部材が、前記引出しの出入りをガイドするレールを有することにより、
前記造り付け家具の効果と同様の効果を有する他に、造り付け家具の別の構成を提供することができる。
【００２７】
また、本発明の造り付け家具は、前記内部空間が、前記第１板部材、前記第２板部材、前記部屋の天井、壁及び床により囲まれて形成されたことにより、
前記造り付け家具の効果と同様の効果を有する他に、造り付け家具の内部に一つの内部空間を構成することができる。
【００２８】
また、本発明の造り付け家具は、前記内部空間が、前記第１板部材、前記第２板部材、前記部屋の天井、壁及び高床構造の上面により囲まれて形成されたことにより、
前記造り付け家具の効果と同様の効果を有する他に、造り付け家具の別の構成を提供することができる。
【００２９】
また、本発明の造り付け家具は、前記内部空間が、前記第１板部材、前記第２板部材、前記部屋の壁及び天井により囲まれて形成されたことにより、
前記造り付け家具の効果と同様の効果を有する他に、造り付け家具の別の構成を提供することができる。
【００３０】
また、本発明の造り付け家具は、前記内部空間は、前記第１板部材、前記第２板部材、前記部屋の壁及び床により囲まれて形成されたことにより、
前記造り付け家具の効果と同様の効果を有する他に、造り付け家具の別の構成を提供することができる。
【発明を実施するための最良の形態】
【００３１】
以下、本発明に係る造り付け家具を実施するための最良の形態について、図面に基づいて具体的に説明する。
図１から図６は、本発明の第１の実施の形態に係る造り付けのタンス３０（造り付け家具に相当）について説明するために参照する図である。
【００３２】
本実施の形態に係る造り付けのタンス３０は、図１から図４に示すように、部屋３２内に造り付けられており、１枚の前面板３４（第１板部材に相当）、及び２枚の側面板３６（第２板部材に相当）を備えて構成されている。前面板３４は、図１に示すように、略長方形の開口部３７を有する枠板部材３８と、この枠板部材３８の開口部３７を閉止したり、観音開きに開くように動作する左右２枚の開き戸４０が設けられている。
【００３３】
また、前面板３４の両側部３４ａ，３４ｂのそれぞれには、図３，４に示すように、側面板３６における前面板３４側の側部３６ａが蝶番４２を介して取り付けられており、側面板３６のそれぞれは、図１〜３中の上下方向（図４中、紙面に垂直の方向）に伸びる、蝶番４２の回動軸線回りに回動することができるようになっている。
【００３４】
このようなタンス３０は、図４に示すように、２枚の側面板３６が、前面板３４との間に直角の角度を形成するように開いて配置することができるようになっていると共に、図５に示すように、２枚の側面板３６のそれぞれが、前面板３４と互いに平行となるように、折り畳んだ状態にすることができるようにもなっている。
【００３５】
タンス３０は、図４に示すように、側面板３６が前面板３４との間に直角の角度を形成するように開いた状態で、図３に示すように、部屋３２の床面４４上に載置され、側面板３６のそれぞれの前面板３４とは反対側の側部３６ｂが、部屋３２の壁５０に突き当てられて造り付けられるようになっている。
【００３６】
また、前面板３４の上端部には、部屋３２の天井４６の高さより高く伸びる差込部３４ｃが形成され、この差込部３４ｃは、天井４６に形成されたスリット４８（貫通孔に相当）に差し込まれている。前面板３４の差込部３４ｃは、図２に示すように、前面板３４の幅方向全体にわたって、スリット４８を貫くように差し込まれている。
【００３７】
このとき、タンス３０は、図３，４に示すように、側面板３６のそれぞれの前面板３４とは反対側の側部３６ｂが、部屋３２の壁５０に突き当てられていることにより、この反作用として、図３に示すように、前面板３４の差込部３４ｃの壁５０とは反対側の面が、天井４６のスリット４８の内周面における、壁５０とは反対側の面４８ａに押されて接触している。
【００３８】
このような本実施の形態に係る造り付けのタンス３０は、部屋の中にいる人がそれを正面から見ると、図１における前面板３４の、床面４４からその上方の天井４６の下面にわたって、仰ぐように大きく立派に見えるようになっている。
【００３９】
次に、タンス３０を部屋３２内に造り付けるときの手順について説明する。部屋３２内にタンス３０が造り付けられる前においては、図５に示すように、側面板３６が前面板３４と平行となるように折り畳まれた状態で部屋３２内に搬入される。そして、図６に示すように、折り畳まれた側面板３６が壁５０側に向けられると共に、前面板３４の差込部３４ｃから壁５０迄の距離よりも、前面板３４の差込部３４ｃと反対側の下端部３４ｄから壁５０迄の距離の方が長くなるように、前面板３４は傾斜した姿勢に保持される。
【００４０】
このような姿勢から、その前面板３４の差込部３４ｃが、天井４６のスリット４８に差し込まれながら上方に移動すると共に、前面板３４の下端部３４ｄが、スリット４８を支点として矢印Ａ方向に回動させられることにより、その下端部３４ｄが壁５０に近付くように移動させられていく。
【００４１】
前面板３４の下端部３４ｄが壁５０に近付くように移動させられていくことにより、前面板３４の姿勢が床面４４に対して略垂直に配置された状態（鉛直方向に沿って配置された状態）になったところで、２枚の側面板３６を回動させて、図４に示すように、前面板３４と９０°の角度となるように側面板３６が開いた状態にすると、図１〜３に示すように部屋３２内に造り付けられるタンス３０が略完成する。
【００４２】
そして、側面板３６の側部３６ｂが壁５０に接触すると共に、前面板３４の差込部３４ｃがスリット４８内における壁５０とは反対側の面４８ａに接触した状態にした後で、前面板３４の下端部３４ｄが壁５０から容易に遠ざからないよう（元の傾斜した姿勢に戻ろうとしないよう）に、その下端部３４ｄを図示しない部品により床面４４に係止する。
【００４３】
このように造り付けられた、本実施の形態に係る造り付けのタンス３０によれば、この直方体のタンス３０の内部空間を形成するためには、１枚の前面板３４及び２枚の側面板３６以外は、部屋３２の壁５０、天井４６及び床面４４を利用するようになっているので、このような内部空間を形成する直方体の６面のうち３面分の部材を特に設けなくてもよいことになる。このため、タンス３０の製造コストが高価となることを防止することができる。
【００４４】
また、本実施の形態に係る造り付けのタンス３０によれば、上記のように部材を減らすことができると共に、部屋３２内に造り付ける前は、図５に示すように、前面板３４に対して２枚の側面板３６を平行となるように折り畳んでコンパクト化することができるので、運搬作業を著しく軽減することができる。
【００４５】
また、本実施の形態に係る造り付けのタンス３０によれば、図４に示すように、側面板３６が前面板３４に対して９０°の角度に開いた状態で部屋３２の床面４４上に載置されると共に、前面板３４の差込部３４ｃが、天井４６のスリット４８に差し込まれて造り付けられるようになっているので、地震時等において、差込部３４ｃが壁５０側に近付く方向に、又は離れる方向に前面板３４が大きく倒れることを防止することができる。
【００４６】
また、タンス３０は、その側面板３６の側部３６ｂが、部屋３２の壁５０に突き当てられると共に、この反作用として前面板３４の差込部３４ｃの壁５０と反対側の面が、天井４６のスリット４８内における壁５０と反対側の面４８ａに押されて接触しているので、差込部３４ｃは前面板３０の奥行き方向（図３中左右方向）に動かないよう固定されてスリット４８内でガタツキを生じることを防止することができる。
【００４７】
また、本実施の形態に係る造り付けのタンス３０によれば、前面板３４の差込部３４ｃがスリット４８を貫いて差込まれるようになっているので、差込部３４ｃが行止りの底付きの溝穴に嵌合するような場合には差込部３４ｃがその溝穴から容易に抜けてしまうのと比べて、差込部３４ｃがスリット４８から容易に抜けてしまうことを確実に防止することができる。
【００４８】
次に、図７から図１０は、本発明の第２の実施の形態に係る造り付けのタンス６０（造り付け家具に相当）について説明するために参照する図である。
本実施の形態に係るタンス６０の側面図は、前記第１の実施の形態に係るタンス３０の側面図（図３参照）とほぼ同様に表されるので省略する。
【００４９】
本実施の形態に係る造り付けのタンス６０は、図９に示すように、壁５０と、この壁５０に対して直角となるように形成されている壁６４とで構成される部屋６２の隅部の内側に造り付けられている。
【００５０】
タンス６０は、前面板３４の図９中左側の側部３４ｂに側面板３６を１枚だけ備えている。この側面板３６は、前記第１の実施の形態に係るタンス３０と同様に、前面板３４側の側部３６ａが、蝶番４２を介して前面板３４の側部３４ｂに取付られており、この側面板３６の側部３６ａとは反対側の側部３６ｂが壁５０に突き当てられている。
【００５１】
また、タンス６０は、前面板３４における図９中右側の側部３４ａが、部屋６２の壁６４に鉛直方向（図９中紙面に垂直方向）に沿って形成されたスリット６６（貫通孔に相当）に差し込まれて設けられている。このスリット６６へ差込まれる前面板３４の側部３４ａを、この側部３４ａに設けられたストッパ６１が壁６４に当接するまで差込むことにより、前面板３４はその幅方向に位置決めされるようになっている。
【００５２】
図７，８に示すように、前面板３４の上端部には、部屋３２の天井４６の高さより高く伸びる差込部３４ｃが形成され、この差込部３４ｃは、天井４６に形成されたスリット４８（貫通孔に相当）に差し込まれている。前面板３４の差込部３４ｃは、前面板３４の幅方向全体にわたって、スリット４８を貫くように差し込まれている。
【００５３】
部屋６２の天井４６のスリット４８の長さは、前面板３４の幅の寸法に加えて、壁６４とは反対側に、前面板３４の側部３４ａにおける、ストッパ６１より外側の寸法よりも若干長い長さ分だけ延長して形成されている。このことにより、タンス６０は、図１０に示すように、前記第１の実施の形態に係るタンス３０を造り付けるときと同じ要領で、前面板３４の差込部３４ｃを天井４６のスリット４８に差し込むことができる。
【００５４】
その後に、前面板３４をスリット４８に沿って図１０中壁６４に向かって水平にスライドさせることにより、図７，８に示すように、前面板３４の側部３４ａを壁６４のスリット６６に差し込んで、それを貫くことができる。
【００５５】
また、このようにタンス６０を造り付けた後においては、天井４６のスリット４８における、タンス６０の前面板３４の差込部３４ｃが壁６４側にスライドした跡の、差込部３４ｃが存在しなくなった長さ部分には、その差込部３４ｃが逆方向に後戻りするようスライドしないように、詰め物６７が詰め込まれて差込部３４ｃに係止している。
【００５６】
このような本実施の形態に係る造り付けのタンス６０によれば、この直方体のタンス６０の内部空間を形成するためには、各１枚の前面板３４及び側面板３６以外は、部屋６２の壁５０，６４、天井４６及び床面４４を利用するようになっているので、このような内部空間を形成する直方体の６面のうち実に４面分の部材を特に設けなくてもよいことになる。このため、タンス６０の製造コストが高価となることを防止することができる。
【００５７】
また、本実施の形態に係る造り付けのタンス６０によれば、上記のように部材を減らすことができると共に、部屋６２内に造り付ける前は、前面板３４に対して側面板３６を平行となるように折り畳んでコンパクト化することができるので、運搬作業を著しく軽減することができる。
【００５８】
また、本実施の形態に係る造り付けのタンス６０によれば、図９に示すように、側面板３６が前面板３４に対して９０°開いた状態で部屋６２の床面４４上に載置されると共に（前記第１の実施の形態に係る図３と同様に）、前面板３４の差込部３４ｃが、天井４６のスリット４８に差し込まれて造り付けられるようになっているので、地震時等において、差込部３４ｃが壁５０に近付く方向に、又は離れる方向に前面板３４が大きく倒れることを防止することができる。
【００５９】
また、前記第１の実施の形態と同様に、タンス６０は、その側面板３６の側部３６ｂが、部屋６２の壁５０に突き当てられると共に（前記第１の実施の形態に係る図３参照）、この反作用として前面板３４の差込部３４ｃの壁５０と反対側の面が、天井４６のスリット４８内における壁５０と反対側の面４８ａに押されて接触しているので、差込部３４ｃはタンス６０の奥行き方向に動かないよう固定されてスリット内でガタツキを生じることを防止することができる。
【００６０】
また、本実施の形態に係る造り付けのタンス６０によれば、前記第１の実施の形態と同様に、前面板３４の差込部３４ｃがスリット４８を貫いて差込まれるようになっているので、差込部３４ｃが行止りの底付きの溝穴に嵌合するような場合に差込部３４ｃがその溝穴から容易に抜けてしまうのと比べて、差込部３４ｃがスリット４８から容易に抜けてしまうことを確実に防止することができる。
【００６１】
また、本実施の形態に係る造り付けのタンス６０によれば、前面板３４におけるその側部３４ａが、部屋６２の壁６４に鉛直方向に沿って形成されたスリット６６に差し込まれて設けられるので、前面板３４の下端部が壁５０から遠ざかったり接近したりするよう動くことを確実に防止することができ、造り付けのタンス６０の安定性を向上させることができる。
【００６２】
次に、図１１は、本発明の第３の実施の形態に係る造り付けのタンス７０（造り付け家具に相当）について説明するために参照する図である。
前記第１の実施の形態に係るタンス３０と同様の部分や構成についての重複する説明は省略するものとする。
【００６３】
前記第１の実施の形態に係る造り付けのタンス３０は、図１に示すように、その前面板３４及び側面板３６が、直接部屋３２の床面４４上に載置されていたのに対して、本実施の形態に係る造り付けのタンス７０は、図１１に示すように、部屋７２の床面４４上に載置される直方体の台座７４（高床構造）を備えており、前面板３４及び側面板３６は、この台座７４の上面上に載置されるようになっている点において異なるものである。
【００６４】
そして、本実施の形態に係る造り付けのタンス７０の前面板３４及び側面板３６は、前記第１の実施の形態に係る造り付けのタンス３０のそれと比べて、台座７４の高さ分だけ高さが低く形成されている。また、台座７４は複数の引き出し７６を備えている。
【００６５】
このような本実施の形態に係る造り付けのタンス７０によれば、このタンス７０の直方体の内部空間を形成するには、１枚の前面板３４及び２枚の側面板３６以外は、部屋７２の壁５０、天井４６及び台座７４の上面を利用するようになっているので、このような内部空間を形成するためにその直方体の６面のうち３面分の部材を特に設けなくてもよいことになる。このため、タンス７０の製造コストが高価となることを防止することができる。
【００６６】
また、本実施の形態に係る造り付けのタンス７０によれば、上記のように部材を減らすことができると共に、部屋７２内に造り付ける前は、前面板３４に対して側面板３６を折り畳んでコンパクト化することができるので、運搬作業を著しく軽減することができる。
【００６７】
また、本実施の形態に係る造り付けのタンス７０によれば、前記第１、第２の実施の形態の効果と同様の効果を有する他に、前記第１、第２の実施の形態に係る造り付け家具とは別の構成を提供することができる。
【００６８】
なお、本実施の形態においては、タンス７０の外部にある台座７４の上にタンス７０を配置する場合について説明したが、台座７４の大きさを小さくしてタンス７０内の内部空間の底部に台座７４を収納するように構成してもよい。このような場合には、図示しないが、タンス７０の開き戸４０を開けてから、このタンス７０の内部空間の底部に収納した台座７４の引出し７６を引出すようにする態様で使用することができる。
【００６９】
次に、図１２，１３は、本発明の第４の実施の形態に係る造り付けのタンス８０（造り付け家具に相当）について説明するために参照する図である。
【００７０】
本実施の形態に係る造り付けのタンス８０は、前記実施の形態と同様に、前面板３４の上端部の差込部３４ｃが天井４６のスリット４８に差し込まれている。ところが、前面板３４の両側部３４ａ，３４ｂには、前記第１の実施の形態に係るタンス３０が備えているような側面板は備えていない点において、前記第１の実施の形態とは異なる構成となっている。
【００７１】
また、タンス８０の前面板３４は、水平面において、図１３に示すように、壁５０と、この壁５０に直交する壁６４とで形成される部屋８２の隅部の内側に、壁５０，６４に対して４５°位の角度を有するように斜めに設置されている。これにより、タンス８０は、その内部に５面体のような収納空間を有するようになっている。
【００７２】
また、図１２に示す天井４６のスリット４８は、壁５０，６４に対して斜めに設置される前面板３４に対応して、やはり壁５０，６４に対して斜めに設けられている。つまり、前面板３４と壁５０，６４との間には図１３に示すような略二等辺三角形が形成されるが、スリット４８はその前面板３４の差込部３４ｃに対向してそれが差し込み可能な位置に配置されて開口形成されている。
【００７３】
このような本実施の形態に係るタンス８０を部屋８２内に造り付けるときの手順は、前記第１の実施の形態における、タンス３０を部屋３２内に造り付けるときの手順とほぼ同様であるが、前記第１の実施の形態において前面板３４の両側部に設けていた側面板が本実施の形態においては無いので、それに対応して一部手順が省略されるだけである。
【００７４】
このような本実施の形態に係る造り付けのタンス８０によれば、このタンス８０の５面体のような内部空間を形成するためには、前面板３４以外は、部屋８２の壁５０，６４、天井４６及び床面４４が利用されるようになっているので、このような内部空間を形成する５面のうち実に４面分の部材を特に設けなくてもよいことになる。このため、タンス６０の製造コストが高価となることを防止することができる。
【００７５】
また、本実施の形態に係る造り付けのタンス８０によれば、前面板３４以外の他の部材を備えなくてもよいので、運搬作業を著しく容易にすることができる。
【００７６】
また、本実施の形態に係る造り付けのタンス８０によれば、前記第１から第３の実施の形態の効果と同様の効果を有する他に、前記第１から第３の実施の形態に係る造り付け家具とは別の構成を提供することができる。
【００７７】
次に、図１４から図１７は、本発明の第５の実施の形態に係る造り付けのタンス９０（造り付け家具に相当）について説明するために参照する図である。
【００７８】
本実施の形態に係る造り付けのタンス９０は、図１４から図１６に示すように、部屋９２内に造り付けられており、１枚の前面板９４（第１板部材に相当）、及び２枚の側面板９６（第２板部材に相当）を備えて構成される本体部９７を備えている。この本体部９７の、１枚の前面板９４、及び２枚の側面板９６は、前記第１の実施の形態に係るタンス３０と同様に、蝶番４２を介して回動自在に取り付けられている。また、タンス９０は、その内部空間に出し入れ自在に収納される７段の引出し９８を備えている。
【００７９】
ここで、図１４及び図１５において、タンス９０は、説明の便宜上、７段分の引出し９８のうち、上側６段分の引出し９８をタンス９０内に収納し、最下段の引出し９８を抜き出した状態が示されている。
【００８０】
引出し９８のそれぞれは、図１６に示すように、１枚の前面板１００、２枚の側面板１０２、１枚の背面板１０４、１枚の底面板１０６、及び２つの把手１０８を備えて構成されている。この引出し９８の前面板１００は、図１５に示すように、側面板１０２及び背面板１０４よりも高い高さを有するように形成されている。
【００８１】
また、タンス９０における本体部９７の前面板９４には、図１４に示すように、７段分の引出し９８のそれぞれに対応する７つの長方形の開口部１１０が高さ方向に間隔を置いて形成されている。
【００８２】
また、本体部９７の２枚の側面板９６には、図１４から図１６に示すように、互いに対向する面のそれぞれに、側面板９６の幅方向（水平方向）に伸びる略帯板形状の７本のスライドレール１１２が、前面板９４の開口部１１０のそれぞれに対応して、高さ方向に間隔を置いて設けられている。スライドレール１１２のそれぞれは、その上側の面の高さが、対応する前面板９４の開口部１１０の下辺の面の高さと同じ高さに設定されている。
【００８３】
タンス９０は、前記第１の実施の形態に係るタンス３０が部屋３２内に造り付けられたのと同じ要領で、その本体部９７が部屋９２内に造り付けられた後、７段分の引出し９８のそれぞれが、本体部９７における前面板９４の対応する開口部１１０から差し込まれる。
【００８４】
引出し９８のそれぞれは、図１５に示すように、その前面板１００以外の部分がタンス９０の内部空間に収納されるようになっている。この引出し９８をタンス９０内に収納する際には、引出し９８の前面板１００の上側部が、開口部１１０の上辺より上方の前面板９４に当接して停止するようになっているので、引出し９８の背面板１０４が壁５０に衝突しないようになっている。
【００８５】
また、引出し９８のそれぞれは、図１６中の左右方向の長さが、本体部９７における２枚の側面板９６の、互いに対向する面同士の間の間隔よりごくわずかに小さく形成されていることにより、引出し９８が２枚の側面板９６間で図１６中の左右方向に著しいガタツキを生じないようになっている。
【００８６】
また、引出し９８のそれぞれは、図１４から図１６に示すように、タンス９０内において、引出し９８の２枚の側面板１０２のそれぞれが、本体部９７のスライドレール１１２上に載置されて支持されている。引出し９８は、本体部９７の開口部１１０からタンス９０内に差し込まれたり引出されたりするときには、本体部９７のスライドレール１１２上を滑動するようになっている。
【００８７】
また、本体部９７のスライドレール１１２は、その厚さ寸法（図１６，１７中、寸法Ｘ）が、図１７に示すように側面板９６を前面板９４と平行になるよう折り畳んだときにおける、この側面板９６と前面板９４との間の間隔と略同じ寸法になっているので、上記側面板９６の折り畳みの際に支障が生じないようになっている。
【００８８】
このように造り付けられた、本実施の形態に係る造り付けのタンス９０によれば、このタンス９０の内部空間を形成するためには、１枚の前面板９４及び２枚の側面板９６以外は、部屋９２の壁５０、天井４６及び床面４４を利用するようになっているので、このような内部空間を形成する直方体の６面のうち３面分の部材を特に設けなくてもよいことになる。このため、タンス９０の製造コストが高価となることを防止することができる。
【００８９】
また、本実施の形態に係る造り付けのタンス９０によれば、上記のように部材を減らすことができると共に、部屋９２内に造り付ける前は、図１７に示すように、前面板９４に対して２枚の側面板９６を平行となるように折り畳んでコンパクト化することができるので、運搬作業を著しく軽減することができる。
【００９０】
次に、図１８は、本発明の第６の実施の形態に係る造り付けのタンス１２０（造り付け家具に相当）について説明するために参照する図である。
前記第５の実施の形態に係るタンス９０と同様の部分や構成についての重複する説明は省略するものとする。
【００９１】
前記第５の実施の形態に係るタンス９０は、７段の引出し９８が上下方向に１列に並んで配置されていたのに対して、本実施の形態に係る、部屋１２２に造り付けられるタンス１２０は、上下方向に１列に並んで配置されている７段の引出し１２４が、左右に２列隣合って配置されて、計１４個の引出し１２４が配置されている点において異なる構造となっている。また、タンス１２０は、左右に２列隣合って配置されるそれぞれ７段の引出し１２４に対応して、その前面板１２８に、やはり左右に２列隣合って配置して形成される７段の開口部１３０を有している。
【００９２】
また、タンス１２０の本体部１２６は、その前面板１２８と壁５０との間であって、２枚の側面板９６間の中央位置に、この２枚の側面板９６と互いに平行となるように配置される仕切り板１３２を備えている。仕切り板１３２は、本体部１２６が部屋１２２に造り付けられた後に、不図示の係止具により、前面板１２６の壁５０側の面に固定されるようになっている。
【００９３】
また、仕切り板１３２には、スライドレール１１２が設けられており、このスライドレール１１２は、前記第５の実施の形態に係るタンス９０と同様に設けられた側面板９６のスライドレール１１２と共に、引出し１２４を滑動自在に支持するようになっている。
【００９４】
このように造り付けられた、本実施の形態に係る造り付けのタンス１２０によれば、このタンス１２０の内部空間を形成するためには、１枚の前面板１２８及び２枚の側面板９６以外は、部屋１２２の壁５０、天井４６及び床面４４を利用するようになっているので、このような内部空間を形成する直方体の６面のうち３面分の部材を特に設けなくてもよいことになる。このため、タンス１２０の製造コストが高価となることを防止することができる。
【００９５】
また、本実施の形態に係る造り付けのタンス１２０によれば、上記のように部材を減らすことができると共に、部屋１２２内に造り付ける前は、前記第５の実施の形態に係るタンス９０と同様に、２枚の側面板９６を前面板１２８に対して平行となるように折り畳んでコンパクト化することができるので（図１７参照）、運搬作業を著しく軽減することができる。
【００９６】
なお、前記第１から第６の実施の形態においては、本発明を、その内部に直方体又は５面体の収納空間を有する造り付けのタンス３０，６０，７０，８０，９０，１２０に対して適用した場合について説明したが、本発明は、内部に直方体又は５面体以外の、他の形状の収納空間を有する造り付けのタンスに対しても適用することができる。
【００９７】
また、前記第１から第６の実施の形態においては、本発明を造り付けのタンス３０，６０，７０，８０，９０，１２０に対して適用した場合について説明したが、本発明はタンス以外の他の作り付け家具に対しても適用することができることはいうまでもない。
【００９８】
また、前記第１の実施の形態においては、前面板３４の差込部３４ｃが、前面板３４の長さをただそのまま上方に伸ばしただけの構成となっていたが、差込部３４ｃは複数の突出部に分けて構成するようにしてもよい。この場合は、天井４６に形成されるスリット４８も複数に分けて構成することができる。
【００９９】
また、前記第１から第６の実施の形態においては、天井４６だけにスリット４８が形成された場合、或いは天井４６と壁６４の両方にスリット４８，６６が形成された場合について説明したが、壁６４だけにスリットが形成されるようにしてもよい。
【０１００】
また、前記第１の実施の形態においては、前面板３４により構成された、周部に差込部３４ｃが形成された第１板部材が鉛直方向に沿って配置された場合について説明したが、上記第１板部材は、このような鉛直方向に沿って配置される場合に限定する必要はなく、水平方向など、鉛直方向以外のどのような方向に配置されるようにしてもよい。
【０１０１】
また、前記第１の実施の形態においては、側面板３６により構成された、上記第１板部材の周部に回動自在に取付けられた第２板部材が、上記第１板部材に、上下方向に伸びる軸線の周りに回動自在に取付けられた場合について説明したが、上記第２板部材は上記第１板部材に、水平方向等、上下方向以外の方向に伸びる軸線の周りに回動自在に取り付けられるようにしてもよい。
【０１０２】
また、前記第５，第６の実施の形態においては、引出し９８，１２４が上下方向に７段並んで設けられた構成となっていたが、７段以外の段数の引出しが設けられた構成としてもよいことはいうまでもない。
【０１０３】
また、前記第１の実施の形態においては、床面４４がタンスの内部空間の底部を構成していたが、上記内部空間の底部を、水平に配置された上記第１板部材により構成して、この第１板部材と天井４６との間に造り付け家具の内部空間が形成されるように構成してもよい。この場合は、上記第１板部材の周部に形成された差込部を、壁に形成された貫通孔に差し込むようにすることができる。
【０１０４】
また、前記第１の実施の形態においては、天井４６がタンスの内部空間の天井部を構成していたが、上記内部空間の天井部を、水平に配置された上記第１板部材により構成して、この第１板部材と床面４４との間に造り付け家具の内部空間が形成されるように構成してもよい。この場合も第１板部材の周部に形成された差込部を、壁に形成された貫通孔に差し込むようにすることができる。
【０１０５】
また、前記第１の実施の形態において、部屋３２の天井４６のスリット４８は、造り付けのタンス３０を造り付ける際にその前面板３４の差込部３４ｃを差し込むのに利用したが、タンス又はそれ以外の造り付け家具のいずれも部屋３２に造り付けない場合には、図１９に示すように、合成樹脂製等の蓋部材１５０によりスリット４８を隠すようにしてもよい。
【０１０６】
或いは、図２０に示すように、不図示の係止具等により、スリット４８にライティングダクト１６０を固定し、このようなライティングダクト１６０から照明装置１６２を吊り下げるようにしてもよい。また、照明装置１６２の代わりに、スピーカー等の他のものを吊り下げるようにしてもよい。
【図面の簡単な説明】
【０１０７】
【図１】本発明の第１の実施の形態に係る造り付けのタンス３０を示す、図３におけるＦ−Ｆ線矢視図である。
【図２】本発明の第１の実施の形態に係る造り付けのタンス３０を示す、図３におけるＧ−Ｇ線矢視図である。
【図３】本発明の第１の実施の形態に係る造り付けのタンス３０を示す、図２におけるＨ−Ｈ線矢視図である。
【図４】図１におけるタンス３０のＡ−Ａ線矢視断面図である。
【図５】図４におけるタンス３０の側面板３６を前面板３４に対して平行となるように折り畳んだ状態を示すこれらの上面図である。
【図６】本発明の第１の実施の形態に係る造り付けのタンス３０の造り付け作業の手順を説明するための前面板３４等の側面図である。
【図７】本発明の第２の実施の形態に係る造り付けのタンス６０を示す、図９におけるＤ−Ｄ線矢視図である。
【図８】本発明の第２の実施の形態に係る造り付けのタンス６０を示す、図９におけるＥ−Ｅ線矢視図である。
【図９】図７におけるタンス６０のＢ−Ｂ線矢視断面図である。
【図１０】本発明の第２の実施の形態に係る造り付けのタンス６０の造り付け作業の手順を説明するための前面板３４の正面図である。
【図１１】本発明の第３の実施の形態に係る造り付けのタンス７０を示す正面図である。
【図１２】本発明の第４の実施の形態に係る造り付けのタンス８０を示す正面図である。
【図１３】図１２におけるタンス８０のＣ−Ｃ線矢視断面図である。
【図１４】本発明の第５の実施の形態に係る造り付けのタンス９０を示す正面図である。
【図１５】図１４に示した造り付けのタンス９０におけるＪ−Ｊ線矢視図である。
【図１６】図１４に示したタンス９０におけるＩ−Ｉ線矢視断面図である。
【図１７】図１６におけるタンス９０の側面板９６を前面板９４に対して平行となるように折り畳んだ状態を示すこれらの上面図である。
【図１８】本発明の第６の実施の形態に係る造り付けのタンス１２０を示す正面図である。
【図１９】タンスを造り付けない場合に天井４６のスリット４８に設けられた蓋部材１５０を示す側面断面図である。
【図２０】タンスを造り付けない場合に天井４６のスリット４８に設けられたライティングダクト１６０及び照明装置１６２を示す側面断面図である。
【図２１】従来のタンス２を示す正面図である。
【符号の説明】
【０１０８】
２  タンス
４  部屋
６  前面板
８  右側面板
１０  左側面板
１２  上面板
１４  底面板
１６  開口部
１８  枠板部材
２０  開き戸
２２  天井
３０  タンス
３２  部屋
３４  前面板
３４ａ，３４ｂ  側部
３４ｃ  上端部
３４ｄ  下端部
３６  側面板
３６ａ  側部
３６ｂ  壁側端部
３７  開口部
３８  枠板部材
４０  開き戸
４２  蝶番
４４  床面
４６  天井
４８  スリット
４８ａ  面
５０  壁
６０  タンス
６１  ストッパ
６２  部屋
６４  壁
６６  スリット
６７  詰め物
７０  タンス
７２  部屋
７４  台座
７６  引き出し
８０  タンス
８２  部屋
９０  タンス
９２  部屋
９４  前面板
９６  側面板
９７  本体部
９８  引出し
１００  前面板
１０２  側面板
１０４  背面板
１０６  底面板
１０８  把手
１１０  開口部
１１２  スライドレール
１２０  タンス
１２２  部屋
１２４  引出し
１２６  本体部
１２８  前面板
１３０  開口部
１３２  仕切り板
１５０  蓋部材
１６０  ライティングダクト
１６２  照明装置
【図１】
2008274690.tif 000003
【図２】
2008274690.tif 000004
【図３】
2008274690.tif 000005
【図４】
2008274690.tif 000006
【図５】
2008274690.tif 000007
【図６】
2008274690.tif 000008
【図７】
2008274690.tif 000009
【図８】
2008274690.tif 000010
【図９】
2008274690.tif 000011
【図１０】
2008274690.tif 000012
【図１１】
2008274690.tif 000013
【図１２】
2008274690.tif 000014
【図１３】
2008274690.tif 000015
【図１４】
2008274690.tif 000016
【図１５】
2008274690.tif 000017
【図１６】
2008274690.tif 000018
【図１７】
2008274690.tif 000019
【図１８】
2008274690.tif 000020
【図１９】
2008274690.tif 000021
【図２０】
2008274690.tif 000022
【図２１】
2008274690.tif 000023